(57)【特許請求の範囲】
【請求項１】
電子番組表を取得する電子番組表取得手段と、
上記電子番組表取得手段で取得された電子番組表で示される放送番組のジャンルに関連付けて、放送信号の所望の出力設定を行うためのジャンル別出力設定手段と、
上記ジャンル別出力設定手段で設定された各ジャンル毎の出力設定情報を記憶する記憶手段と、
放送機器側で選局するチャンネルを指定するための選局指定操作手段と、
上記選局指定操作手段を介して上記放送機器側で選局するチャンネルの指定操作がなされた際に、この指定されたチャンネルで放送されている放送番組のジャンルを上記電子番組表から検出し、この検出したジャンルに対して設定されている上記出力設定情報を上記記憶手段から読み出す出力設定情報読み出し手段と、
上記選局指定操作手段を介して上記放送機器側で選局するチャンネルの指定操作がなされた際に、この指定されたチャンネルの選局を遠隔操作する遠隔操作信号と共に、上記出力設定情報読み出し手段により上記記憶手段から読み出された出力設定情報を、上記放送機器に送信する送信手段と
を有する遠隔操作装置。
【請求項２】
請求項１に記載の遠隔操作装置であって、
上記電子番組表取得手段は、上記放送機器で取得され送信される電子番組表を受信する受信手段を有すること
を特徴とする遠隔操作装置。
【請求項３】
放送信号の受信機能を有する携帯端末装置であって、
電子番組表を取得する電子番組表取得手段と、
上記放送信号の受信機能で受信された放送番組に対する所望の出力設定を行うための出力設定手段と、
上記放送信号の受信機能で受信されている放送番組のジャンルを、上記電子番組表取得手段で取得された電子番組表に基づいて検出し、この検出した放送番組のジャンルに関連付けて、上記出力設定手段でなされた出力設定を示す出力設定情報を記憶手段に記憶するジャンル別設定情報記憶制御手段と、
放送機器側で選局するチャンネルを指定するための選局指定操作手段と、
上記選局指定操作手段を介して上記放送機器側で選局するチャンネルの指定操作がなされた際に、この指定されたチャンネルで放送されている放送番組のジャンルを上記電子番組表から検出し、この検出したジャンルに対して設定されている上記出力設定情報を上記記憶手段から読み出す出力設定情報読み出し手段と、
上記選局指定操作手段を介して上記放送機器側で選局するチャンネルの指定操作がなされた際に、この指定されたチャンネルの選局を遠隔操作する遠隔操作信号と共に、上記出力設定情報読み出し手段により上記記憶手段から読み出された出力設定情報を、上記放送機器に送信する送信手段と
を有する携帯端末装置。
【請求項４】
請求項３に記載の携帯端末装置であって、
上記電子番組表取得手段は、上記放送機器で取得され送信される電子番組表を受信する受信手段を有し、及び／又は、ネットワーク上に設けられた所定のサイトから電子番組表を受信する通信手段を有すること
を特徴とする携帯端末装置。
【請求項５】
電子番組表取得手段が電子番組表を取得するステップと、
ジャンル別出力設定手段により設定された放送信号の所望の出力設定を示す出力設定情報を、上記電子番組表取得手段で取得された電子番組表で示される、上記放送信号に対応する放送番組のジャンルに関連付けて記憶手段に記憶するステップと、
選局指定操作手段を介して放送機器側で選局するチャンネルの指定操作がなされた際に、出力設定情報読み出し手段が、この指定されたチャンネルで放送されている放送番組のジャンルを上記電子番組表から検出し、この検出したジャンルに対して設定されている上記出力設定情報を上記記憶手段から読み出すステップと、
上記選局指定操作手段を介して上記放送機器側で選局するチャンネルの指定操作がなされた際に、送信手段が、この指定されたチャンネルの選局を遠隔操作する遠隔操作信号と共に、上記ステップにおいて上記記憶手段から読み出された出力設定情報を、上記放送機器に送信するステップと
を有する放送機器の遠隔操作方法。
【発明の詳細な説明】
【技術分野】
【０００１】
本発明は、例えば携帯電話機、ＰＨＳ電話機（PHS：Personal Handyphone System）、ＰＤＡ装置（PDA：Personal Digital Assistant）、ノート型のパーソナルコンピュータ装置等の携帯機器に適用して好適な遠隔操作装置、携帯端末装置及び遠隔操作方法に関し、特にテレビジョン受像機やラジオ受信機等の放送機器を、スポーツ番組や音楽番組等の放送番組のジャンルに応じて各ユーザの好みの設定に遠隔操作する遠隔操作装置、携帯端末装置及び放送機器の遠隔操作方法に関する。
【背景技術】
【０００２】
特開２００５−１５０８３１号の公開特許公報（特許文献１）において、簡単な操作により、希望する受信チャンネルを速やかに選択して切り替え可能なリモコン機能付き携帯電話機が開示されている。
【０００３】
この携帯電話機の場合、テレビ受信チャンネル切り替え用リモコン機能が起動されると、制御部は内蔵ＴＶチューナーを起動して１ｃｈから１２ｃｈまでの各チャンネルのテレビジョン信号を受信し、これら各チャンネルの受信映像を示すサムネイル画像を形成して表示部に一覧表示する。この表示部に表示された各チャンネルのサムネイル画像に基づいて、使用者により所望のチャンネルが選択されると、制御部は、この選択されたチャンネル情報に対応するリモコンデータを赤外線送信するようにリモコン送信部を制御する。
【０００４】
テレビジョン受像機側では、携帯電話機のリモコン送信部から赤外線送信されたリモコンデータをリモコン受光部で受信し、この受信したリモコンデータに対応するチャンネルを選局制御する。これにより、携帯電話機側に表示された各チャンネルのサムネイル画像に基づいて所望のチャンネルを選択することができるため、テレビジョン受像機側で選局されるチャンネルを速やかに選択して、該テレビジョン受像機を遠隔操作することができる。
【０００５】
【特許文献１】特開平２００５−１５０８３１号公報（第５頁：図２）
【発明の開示】
【発明が解決しようとする課題】
【０００６】
しかし、テレビジョン受像機やラジオ受信機等の放送機器で放送番組を視聴或いは聴取する場合、ユーザはスポーツ番組や音楽番組等の放送番組のジャンルに応じて各放送番組の音声イコライジングや画像エフェクト等を好みの設定として視聴或いは聴取を行うものである。この設定は、放送番組のジャンルに応じて変わるため、各ジャンル毎の設定情報を放送機器に対して登録しておく必要がある。また、視聴や聴取を行う各ユーザ毎に好みの設定が異なるため、その放送機器を利用する全てのユーザ毎かつ各ジャンル毎に設定情報を放送機器に対して登録しておく必要がある。
【０００７】
上述の特許文献１に開示されているリモコン機能付き携帯電話機の場合、携帯電話機側に表示される各チャンネルのサムネイル画像に基づいて、テレビジョン受像機側で選局するチャンネルを速やかに遠隔操作できるのはよいが、各ユーザ毎、放送番組のジャンル毎に、音声イコライジングや画像エフェクト等の設定を遠隔操作することは困難となる問題がある。
【０００８】
本発明は上述の課題に鑑みてなされたものであり、所望のチャンネルを選局するように放送機器を遠隔操作した際に、その選局したチャンネルの放送番組のジャンルに応じて、自動的に放送機器の設定を各ユーザの好みの設定とすることができるような遠隔操作装置、携帯端末装置及び放送機器の遠隔操作方法の提供を目的とする。
【課題を解決するための手段】
【０００９】
本発明に係る遠隔操作装置は、上述の課題を解決するための手段として、
電子番組表を取得する電子番組表取得手段と、
上記電子番組表取得手段で取得された電子番組表で示される放送番組のジャンルに関連付けて、放送信号の所望の出力設定を行うためのジャンル別出力設定手段と、
上記ジャンル別出力設定手段で設定された各ジャンル毎の出力設定情報を記憶する記憶手段と、
放送機器側で選局するチャンネルを指定するための選局指定操作手段と、
上記選局指定操作手段を介して上記放送機器側で選局するチャンネルの指定操作がなされた際に、この指定されたチャンネルで放送されている放送番組のジャンルを上記電子番組表から検出し、この検出したジャンルに対して設定されている上記出力設定情報を上記記憶手段から読み出す出力設定情報読み出し手段と、
上記選局指定操作手段を介して上記放送機器側で選局するチャンネルの指定操作がなされた際に、この指定されたチャンネルの選局を遠隔操作する遠隔操作信号と共に、上記出力設定情報読み出し手段により上記記憶手段から読み出された出力設定情報を、上記放送機器に送信する送信手段と
を有する。
【００１０】
また、本発明に係る携帯端末装置は、放送信号の受信機能を有する携帯端末装置であって、上述の課題を解決するための手段として、
電子番組表を取得する電子番組表取得手段と、
上記放送信号の受信機能で受信された放送番組に対する所望の出力設定を行うための出力設定手段と、
上記放送信号の受信機能で受信されている放送番組のジャンルを、上記電子番組表取得手段で取得された電子番組表に基づいて検出し、この検出した放送番組のジャンルに関連付けて、上記出力設定手段でなされた出力設定を示す出力設定情報を記憶手段に記憶するジャンル別設定情報記憶制御手段と、
放送機器側で選局するチャンネルを指定するための選局指定操作手段と、
上記選局指定操作手段を介して上記放送機器側で選局するチャンネルの指定操作がなされた際に、この指定されたチャンネルで放送されている放送番組のジャンルを上記電子番組表から検出し、この検出したジャンルに対して設定されている上記出力設定情報を上記記憶手段から読み出す出力設定情報読み出し手段と、
上記選局指定操作手段を介して上記放送機器側で選局するチャンネルの指定操作がなされた際に、この指定されたチャンネルの選局を遠隔操作する遠隔操作信号と共に、上記出力設定情報読み出し手段により上記記憶手段から読み出された出力設定情報を、上記放送機器に送信する送信手段と
を有する。
【００１１】
また、本発明に係る放送機器の遠隔操作方法は、上述の課題を解決するための手段として、
電子番組表取得手段が電子番組表を取得するステップと、
ジャンル別出力設定手段により設定された放送信号の所望の出力設定を示す出力設定情報を、上記電子番組表取得手段で取得された電子番組表で示される、上記放送信号に対応する放送番組のジャンルに関連付けて記憶手段に記憶するステップと、
選局指定操作手段を介して放送機器側で選局するチャンネルの指定操作がなされた際に、出力設定情報読み出し手段が、この指定されたチャンネルで放送されている放送番組のジャンルを上記電子番組表から検出し、この検出したジャンルに対して設定されている上記出力設定情報を上記記憶手段から読み出すステップと、
上記選局指定操作手段を介して上記放送機器側で選局するチャンネルの指定操作がなされた際に、送信手段が、この指定されたチャンネルの選局を遠隔操作する遠隔操作信号と共に、上記ステップにおいて上記記憶手段から読み出された出力設定情報を、上記放送機器に送信するステップと
を有する。
【００１２】
このような本発明は、放送番組に対して設定された出力設定情報を、その放送番組のジャンルに関連付けて記憶手段に記憶しておく。そして、放送機器で選局するチャンネルを指定した際に、このチャンネルで放送されている放送番組のジャンルを電子番組表に基づいて検出し、この検出したジャンルに対応する出力設定情報を上記記憶手段から読み出し、上記チャンネルの選局を遠隔操作するための遠隔操作信号と共に上記放送機器側に送信する。
【００１３】
これにより、所望のチャンネルを選局するように放送機器を遠隔操作した際に、その選局したチャンネルの放送番組のジャンルに応じて、自動的に放送機器の設定を各ユーザの好みの設定とすることができる。
【発明の効果】
【００１４】
本発明は、所望のチャンネルを選局するように放送機器を遠隔操作した際に、その選局したチャンネルの放送番組のジャンルに応じて、自動的に放送機器の設定を各ユーザの好みの設定とすることができる。
【発明を実施するための最良の形態】
【００１５】
本発明は、テレビジョン放送やラジオ放送の受信機能が設けられた携帯電話機に適用することができる。
【００１６】
［携帯電話機の構成］
この本発明の実施の形態となる携帯電話機は、図１に示すように無線基地局との間で無線通信を行うアンテナ１及び通信回路２と、着信音や受話音声の音響出力を得るためのスピーカ部３と、送話音声等を集音するためのマイクロホン部４と、画像（動画像、静止画像等）や文字等を表示するための表示部５と、所定の入力操作を行うための操作部６とを有している。
【００１７】
また、この携帯電話機は、発着信等を光で知らせるための発光部７（LED：Light Emitting Diode）と、所望の被写体の静止画像或いは動画像を撮像するためのカメラ部８と、テレビジョン受像機やラジオ受信機等の放送機器を遠隔操作するための遠隔操作信号の送信等を行う赤外線送受信部９と、テレビジョン放送やラジオ放送の受信を行う放送アンテナ１０及び放送受信装置１１とを有している。
【００１８】
また、この携帯電話機は、静止画像、動画像、携帯メールの文章データ、スケジュール帳、電話帳、アドレス帳、音楽データ等の他、通信処理を行うための通信処理プログラム（コミュニケーションプログラム）や各種アプリケーションプログラム等が記憶されたメモリ１２と、このメモリ１２に記憶されているコミュニケーションプログラムや各種アプリケーションプログラムに基づいて、当該携帯電話機の動作を制御する制御部１３とを有している。
【００１９】
メモリ１２には、上記アプリケーションプログラムとして、テレビジョン放送の受信制御を行うためのＴＶ受信プログラム、ラジオ放送の受信制御を行うためのラジオ受信プログラム、テレビジョン受像機やラジオ受信機等の放送機器を遠隔操作するための遠隔操作プログラム等が記憶されている。
【００２０】
また、メモリ１２には、通信回路２を介してネットワーク上の所定のサイトからダウンロードされ、或いは赤外線送受信部９を介してテレビジョン受像機やラジオ受信機等の放送機器から受信した、テレビジョン放送やラジオ放送の電子番組表（＝ＥＰＧ情報：Electronic Program Guide）が記憶されている。
【００２１】
また、メモリ１２には、ユーザが放送番組の視聴或いは聴取した際に設定した音声イコライジングや画像エフェクト等の各設定情報を、ＥＰＧ情報で示される各放送番組のジャンル別に記憶したジャンル別設定情報が記憶されている。
【００２２】
［ジャンル別設定情報の記憶］
このような実施の形態の携帯電話機において、ユーザが所望のテレビジョン放送を視聴する場合、操作部６を操作してメモリ１２に記憶されているＥＰＧ情報の表示指定を行う。上述のように、メモリ１２には、通信回路２を介してネットワーク上の所定のサイトからダウンロードされ、或いは赤外線送受信部９を介してテレビジョン受像機やラジオ受信機等の放送機器から受信した、テレビジョン放送やラジオ放送のＥＰＧ情報が記憶されているのであるが、制御部１３は、このＥＰＧ情報の表示指定がなされると、当該メモリ１２に記憶されているテレビジョン放送或いはラジオ放送のＥＰＧ情報を読み出し、これを表示部５に表示制御する。
【００２３】
ユーザは、表示部５に表示されたＥＰＧ情報に基づいて所望の放送番組を選択し、この放送番組を放送しているチャンネルの選局を指定する。制御部１３は、このチャンネルの選局が指定されると、メモリ１２に記憶されているＴＶ受信プログラム或いはラジオ受信プログラムに基づいて、放送アンテナ１０で受信された放送信号の中から、ユーザにより指定されたチャンネルの放送信号を選局するように放送受信装置１１を選局制御する。そして、ユーザにより指定された放送番組がテレビジョン放送番組の場合、この放送受信装置１１で選局されたチャンネルのテレビジョン放送番組の映像を表示部５に表示制御すると共に、当該テレビジョン放送番組の音声をスピーカ部３を介して出力制御する。これにより、ユーザは、操作部６を操作することで選局指定したテレビジョン放送の視聴が可能となる。
【００２４】
また、ユーザにより指定された放送番組がラジオ放送番組の場合、この放送受信装置１１で選局されたチャンネルのラジオ放送番組の音声をスピーカ部３を介して出力制御する。これにより、ユーザは、操作部６を操作することで選局指定したラジオ放送の聴取が可能となる。
【００２５】
一方、この携帯電話機の場合、表示部５に表示されたテレビジョン映像、スピーカ部３を介して出力されるテレビジョン音声、及びスピーカ部３を介して出力されるラジオ音声の調整が可能となっている。
【００２６】
具体的には、テレビジョン放送の映像の調整を行う場合、ユーザは、操作部６を操作して、映像メニューの中から映像の調整メニューを選択して指定する。この指定がなされると、制御部１３は、表示部５に対して映像の調整メニューを表示制御する。ユーザは、この映像の調整メニューに基づいて操作部６を操作することで、映像の輝度レベルや色合い等の画像エフェクトを設定する。
【００２７】
また、テレビジョン放送の音声、或いはラジオ放送の音声の調整を行う場合、ユーザは、操作部６を操作して、音声メニューの中から音声の調整メニューを選択して指定する。この指定がなされると、制御部１３は、表示部５に対して音声の調整メニューを表示制御する。ユーザは、この音声の調整メニューに基づいて操作部６を操作することで、音声の高域、中域、低域等の音声イコライジング、字幕表示、音声多重放送の出力言語等を設定する。
【００２８】
制御部１３は、現在、視聴しているテレビジョン放送（＝現在、放送受信装置１１で選局されているテレビジョン放送）に対する画像エフェクトや音声イコライジング等の設定がなされると、このテレビジョン放送のジャンルを上記ＥＰＧ情報に基づいて検出し、この検出したジャンルに対応付けて、ユーザにより設定された画像エフェクトや音声イコライジング等の各設定情報を「ジャンル別設定情報」としてメモリ１２に記憶制御する。
【００２９】
また、制御部１３は、現在、聴取しているラジオ放送（＝現在、放送受信装置１１で選局されているラジオ放送）に対する音声イコライジング等の設定がなされると、このラジオ放送のジャンルを上記ＥＰＧ情報に基づいて検出し、この検出したジャンルに対応付けて、ユーザにより設定された音声イコライジング等の設定情報を「ジャンル別設定情報」としてメモリ１２に記憶制御する。
【００３０】
これにより、例えばテレビジョン放送のスポーツ番組用の画像エフェクトや音声イコライジング等の設定、テレビジョン放送の音楽番組用の画像エフェクトや音声イコライジング等の設定、及びラジオ放送のスポーツ番組用の音声イコライジング等の設定、ラジオ放送の音楽番組用の音声イコライジングの設定等が上記「ジャンル別設定情報」としてメモリ１２に登録されることとなる。
【００３１】
［放送機器の遠隔操作］
次に、このように「ジャンル別設定情報」がメモリ１２に登録されると、テレビジョン受像機やラジオ受信機等の放送機器を遠隔操作して所望のチャンネルを選局した際に、その選局したチャンネルで放送されている放送番組のジャンルに応じて、ユーザの好みの画像エフェクトや音声イコライジングの設定が、自動的に上記放送機器に対して反映されるようになっている。
【００３２】
図２のフローチャートに、放送機器がテレビジョン受像機である場合の設定自動反映処理の動作の流れを示す。なお、放送機器がラジオ受信機である場合の動作も、以下の説明と同様であるため、ラジオ受信機である場合の動作は、以下の説明を参照されたい。
【００３３】
まず、このフローチャートは、ユーザにより操作部６が操作され、テレビジョン受像機の遠隔操作が指定されることでスタートとなる。制御部１３は、ユーザにより上記操作部６を介してテレビジョン受像機の遠隔操作が指定されると、メモリ１２に記憶されている遠隔操作プログラムに基づいて、電源のオン／オフ操作の指定メニュー、チャンネルの選局メニュー等の遠隔操作メニューを表示部５に表示制御する。
【００３４】
ステップＳ１では、制御部１３が、この遠隔操作メニューのうち、ユーザによりチャンネルの選局メニューが選択され、操作部６を介して所望のチャンネルの選局が指定されたか否かを判別している。そして、制御部１３は、所望のチャンネルの選局が指定されたタイミングで処理をステップＳ２に進める。
【００３５】
ステップＳ２では、制御部１３が、上記ステップＳ１で選局が指定されたチャンネルのＥＰＧ情報をメモリ１２から読み出し、このＥＰＧ情報に基づいて、該選局が指定されたチャンネルで放送しているテレビジョン放送番組のジャンルを検出する。
【００３６】
次に制御部１３は、ステップＳ３に処理を進め、メモリ１２に記憶されているジャンル別設定情報を参照し、上記ステップＳ２で検出したテレビジョン放送番組のジャンルに対応する画像エフェクトや音声イコライジングの設定が登録なされているか否かを判別する。
【００３７】
制御部１３は、上記ジャンルに対応する画像エフェクトや音声イコライジングの設定がメモリ１２に登録されていない場合、処理をステップＳ４に進め、上記ステップＳ１でユーザにより指定されたチャンネルを選局するための遠隔操作信号を形成し、これを送信するように赤外線送受信部９を送信制御する。これにより、ユーザにより指定されたチャンネルを選局するための遠隔操作信号のみがテレビジョン受像機に送信され、該テレビジョン受像機により、この遠隔操作信号に対応するチャンネルが選局されることとなる。
【００３８】
一方、上記ジャンルに対応する画像エフェクトや音声イコライジングの設定がメモリ１２に登録されていた場合、制御部１３は処理をステップＳ５に進め、上記ステップＳ１でユーザにより指定されたチャンネルを選局するための遠隔操作信号、及び上記ジャンルに対応する画像エフェクトや音声イコライジングの設定を示す設定情報を形成し、これらを赤外線送受信部９を介してテレビジョン受像機に送信制御する。
【００３９】
この遠隔操作信号及び設定情報を受信したテレビジョン受像機は、該遠隔操作信号に対応するチャンネルを選局すると共に、上記設定情報で示される画像エフェクトが付加された映像となるように表示する映像を自動的に調整して表示部に表示すると共に、上記設定情報で示される音声イコライジングが付加された音声となるように出力する音声を自動的に調整してスピーカ部を介して出力する。
【００４０】
これにより、ユーザが選局したチャンネルで放送されているテレビジョン放送番組のジャンルに対応するユーザの好みの画像エフェクトを自動的に反映させた映像を表示すると共に、上記ジャンルに対応するユーザの好みの音声イコライジングを自動的に反映させた音声を出力することができる。
【００４１】
［実施の形態の効果］
以上の説明から明らかなように、この実施の形態の携帯電話機は、当該携帯電話機に設けられているテレビジョン放送受信機能、或いはラジオ放送受信機能等の放送受信機能を用いてテレビジョン放送やラジオ放送を視聴或いは聴取した際に、この視聴或いは聴取したテレビジョン放送番組或いはラジオ放送番組のジャンルをＥＰＧ情報から検出すると共に、該テレビジョン放送やラジオ放送を視聴或いは聴取した際にユーザが行った画像エフェクトや音声イコライジングの設定を、上記ＥＰＧ情報から検出したジャンルに関連付けてメモリ１２に記憶しておく。
【００４２】
そして、当該携帯電話機を用いてテレビジョン受像機やラジオ受信機で選局されるチャンネルを遠隔操作する際に、この選局の指定されたチャンネルで放送しているテレビジョン放送番組或いはラジオ放送番組のジャンルをＥＰＧ情報から検出し、この検出したジャンルに対応する設定情報を上記メモリ１２から読み出して、選局を指定するチャンネルを示す遠隔操作信号と共にテレビジョン受像機或いはラジオ受信機に送信する。
【００４３】
これにより、所望のチャンネルを選局するようにテレビジョン受像機或いはラジオ受信機を遠隔操作した際に、その選局したチャンネルの放送番組のジャンルに応じて、自動的にテレビジョン受像機或いはラジオ受信機の設定をユーザの好みの設定とすることができる。
【００４４】
また、当該携帯電話機でテレビジョン放送やラジオ放送を視聴或いは聴取した際に設定された画像エフェクトや音声イコライジング等の設定は、当該携帯電話機の所有者となるユーザの好みの設定となる。このため、当該携帯電話機が複数存在する場合、各携帯電話機に対して各ユーザ毎の上記設定がなされることとなる。すなわち、一方の携帯電話機のメモリ１２には、その所有者であるユーザＡの好みの設定情報が記憶され、他方の携帯電話機のメモリ１２には、その所有者であるユーザＢの好みの設定情報が記憶されることとなる。
【００４５】
このため、ユーザＡが自分の携帯電話機を用いてテレビジョン受像機やラジオ受信機で選局されるチャンネルを遠隔操作した場合、このテレビジョン受像機やラジオ受信機で選局されたチャンネルで放送されているテレビジョン放送番組或いはラジオ放送番組を、ユーザＡの好みの設定で視聴或いは聴取することができ、また、ユーザＢが自分の携帯電話機を用いてテレビジョン受像機やラジオ受信機で選局されるチャンネルを遠隔操作した場合、このテレビジョン受像機やラジオ受信機で選局されたチャンネルで放送されているテレビジョン放送番組或いはラジオ放送番組を、ユーザＢの好みの設定で視聴或いは聴取することができる。
【００４６】
すなわち、テレビジョン受像機側或いはラジオ受信機側に各ユーザ毎の設定を記憶させておくことなく、テレビジョン受像機或いはラジオ受信機の設定を、自動的に各携帯電話機のユーザ毎の設定とすることができる。
【００４７】
［変形例］
上述の実施の形態の説明では、本発明を携帯電話機に適用することとしたが、本発明は、この他、ＰＨＳ電話機（PHS：Personal Handyphone System）、ＰＤＡ装置（PDA：Personal Digital Assistant），ノート型のパーソナルコンピュータ装置等の他の携帯端末装置に適用してもよい。この場合でも上述と同様の効果を得ることができる。
【００４８】
最後に、上述の実施の形態は、あくまでも本発明の一例として開示したに過ぎない。このため、本発明は上述の実施の形態に限定されることはなく、上述の実施の形態以外であっても、本発明に係る技術的思想を逸脱しない範囲であれば、設計等に応じて種々の変更が可能であることは勿論であることを付け加えておく。
【図面の簡単な説明】
【００４９】
【図１】本発明を適用した実施の形態となる携帯電話機のブロック図である。
【図２】実施の形態の携帯電話機におけるテレビジョン受像機の遠隔操作の流れを説明するためのフローチャートである。
【符号の説明】
【００５０】
１  アンテナ、２  通信回路、３  スピーカ部、４  マイクロホン部、５  表示部、６  操作部、７  発光部（ＬＥＤ）、８  カメラ部、９  赤外線送受信部、１０  放送アンテナ、１１  放送受信装置、１２  メモリ、１３  制御部
【図１】
0004530223.tif 000002
【図２】
0004530223.tif 000003